(57)【特許請求の範囲】
【請求項１】
コンテンツデータを再生する再生部、少なくともコンテンツデータを入力する入力部、及びコンテンツデータを前記再生部にて再生する際の再生状態を調整データに基づいて調整する調整部を有する表示装置と、
コンテンツデータを記憶するコンテンツデータ記憶部と、
コンテンツデータを前記再生部にて再生する際の再生状態を調整するための調整データであってコンテンツデータ毎に予め作成された調整データをコンテンツデータと関連付けて記憶する調整データ記憶部と、
前記コンテンツデータ記憶部から読み出されて前記表示装置へ出力されるコンテンツデータに関連付けられた調整データを前記調整データ記憶部から読み出して前記表示装置へ出力する制御部と、
調整データに関する情報を表示する制御表示部と、を備え、
前記調整データ記憶部は、複数のコンテンツデータのそれぞれの再生状態の調整の必要性の優先度情報をさらに記憶し、
前記制御部は、コンテンツデータの識別情報と前記優先度情報との関係を前記制御表示部に表示させる、表示システム。
【請求項２】
前記調整データ記憶部は、複数のコンテンツデータの再生スケジュールをさらに記憶し、
前記優先度情報は、前記再生スケジュールが早いものほど高く設定される、請求項１に記載の表示システム。
【請求項３】
前記調整データ記憶部は、調整データのそれぞれの作成日をさらに記憶し、
前記制御部は、コンテンツデータの識別情報と前記作成日との関係を前記制御表示部に表示させる、請求項１又は２に記載の表示システム。
【請求項４】
明るさセンサをさらに備え、
前記調整データ記憶部は、明るさの複数の帯域毎に予め作成された調整データをコンテンツデータ及び前記帯域と関連付けて記憶し、
前記制御部は、
前記コンテンツデータ記憶部から読み出されて前記表示装置へ出力されるコンテンツデータに関連付けられた調整データであって前記明るさセンサで検出した明るさを含む帯域に関連付けられた調整データを前記表示装置へ出力する、請求項１から３のいずれかに記載の表示システム。
【請求項５】
前記表示装置は、複数備えられてマルチディスプレイを構成し、
前記調整データは、コンテンツデータ毎及び表示装置毎に予め作成され、コンテンツデータ及び表示装置と関連付けて記憶され、
前記制御部は、前記コンテンツデータ記憶部から読み出されて複数の前記表示装置のうちの注目表示装置へ出力されるコンテンツデータに関連付けられた調整データであって前記注目表示装置に関連付けられた調整データを前記調整データ記憶部から読み出して前記注目表示装置へ出力する、請求項１から４のいずれかに記載の表示システム。
【請求項６】
コンテンツデータを表示装置にて再生する際の再生状態を調整するための調整データであってコンテンツデータ毎に予め作成された調整データをコンテンツデータと関連付けて記憶する記憶ステップと、
前記表示装置へ出力されるコンテンツデータに関連付けられた調整データを前記表示装置へ出力する出力ステップと、
コンテンツデータを前記表示装置にて再生する際の再生状態を、再生するコンテンツデータに関連付けられた調整データに基づいて調整する調整ステップと、を備え、
調整データを予め作成する際、調整データに関する情報を表示する制御表示部に、コンテンツデータの識別情報と記憶されている複数のコンテンツデータのそれぞれの再生状態の調整の必要性の優先度情報との関係を表示させる表示ステップ、を更に備える、表示方法。
【発明の詳細な説明】
【技術分野】
【０００１】
この発明は、種々のコンテンツデータを再生する表示装置を備える表示システム及び表示方法に関する。
【背景技術】
【０００２】
表示装置が公共スペース又は店舗等に設置され、この表示装置に画像や映像等のコンテンツが表示されるデジタルサイネージシステム（電子看板システム）等の表示システムが普及してきている。このような表示システムでは、コンテンツの作者や広告主といった配信者の意図に沿った色再現が望まれるが、重視される色はコンテンツによって異なる。例えば、焼肉店Ａ社のコンテンツでは、赤い肉の色再現が重視され、Ｂ社のコンテンツでは、コーポレートカラーである水色の色再現が重視され、化粧品メーカーＣ社のコンテンツでは、肌色の色再現が重視される。また、表示装置の個体バラツキ、外光や視野角といった環境因子、及び経時変化等によっても、コンテンツの色再現が配信者の意図したものとは異なってしまうことがある。
【０００３】
このため、従来技術１では、表示装置の設置現場において、コンテンツの色再現が事前確認され、配信者の意図した色に近付けるように、表示装置毎に、調整データが予め作成されている。
【０００４】
また、送信元端末及び受信先端末の両機種情報に基づき、送信元端末からのコンテンツデータを受信先端末で再生する際の画質を最適にする調整データがサーバへ送られ、サーバが、その調整データをコンテンツデータに付加して受信先端末へ送り、受信先端末は、その調整データを用いてコンテンツデータ再生時の画質を調整する、という従来技術２も知られている（例えば、特許文献１参照。）。
【先行技術文献】
【特許文献】
【０００５】
【特許文献１】特開２００６−５０４６２号公報
【発明の概要】
【発明が解決しようとする課題】
【０００６】
しかし、表示装置ではカラープロファイル等の色再現の調整データを同時に複数個設定することができず、上述のような従来技術１では、表示装置毎に１個の調整データが作成されるので、事前確認時とは別のコンテンツが表示された際には、配信者の意図する色再現をすることができない。従来技術２においても、端末の機種情報に基づいて調整データが作成されるので、コンテンツによっては、色再現が配信者の意図したものとは異なってしまうことがある。
【０００７】
この発明の目的は、コンテンツ毎に意図した色再現を行うことができる表示システム及び表示方法を提供することにある。
【課題を解決するための手段】
【０００８】
この発明の表示システムは、表示装置、コンテンツデータ記憶部、調整データ記憶部、及び制御部を備える。表示装置は、コンテンツデータを再生する再生部、少なくともコンテンツデータを入力する入力部、及びコンテンツデータを再生部にて再生する際の再生状態を調整データに基づいて調整する調整部を有する。コンテンツデータ記憶部は、コンテンツデータを記憶する。調整データ記憶部は、コンテンツデータを再生部にて再生する際の再生状態を調整するための調整データであってコンテンツデータ毎に予め作成された調整データをコンテンツデータと関連付けて記憶する。制御部は、コンテンツデータ記憶部から読み出されて表示装置へ出力されるコンテンツデータに関連付けられた調整データを調整データ記憶部から読み出して表示装置へ出力する。
【０００９】
この構成では、表示装置の設置現場において、コンテンツデータの色再現が事前確認され、コンテンツデータ毎に、調整データが予め作成される。コンテンツデータが表示装置へ出力される際には、このコンテンツデータに関連付けられた調整データも表示装置へ出力される。コンテンツデータが表示装置で再生される際に、コンテンツデータ毎に作成された調整データに基づいて、コンテンツデータ毎に再生状態が調整される。
【００１０】
上述の構成において、調整データに関する情報を表示する制御表示部をさらに備え、調整データ記憶部は、複数のコンテンツデータのそれぞれの再生状態の調整の必要性の優先度情報をさらに記憶し、制御部は、コンテンツデータの識別情報と優先度情報との関係を制御表示部に表示させるように構成することができる。
【００１１】
この構成では、調整データの作成の必要性の高さをユーザが容易に認識できる。このため、必要性の高いコンテンツデータから優先的に調整データを作成することができるようになる。
【００１２】
また、調整データ記憶部は、複数のコンテンツデータの再生スケジュールをさらに記憶し、優先度情報は、再生スケジュールが早いものほど高く設定されることが好ましい。
【００１３】
この構成では、再生スケジュールが早いものから順に調整データを作成することが容易になる。
【００１４】
さらに、調整データ記憶部は、調整データのそれぞれの作成日をさらに記憶し、制御部は、コンテンツデータの識別情報と作成日との関係を制御表示部に表示させることが好ましい。
【００１５】
表示装置の色再現性は、時間経過によって変化することがあるので、作成されてから長期間が経過した調整データを用いた場合は、配信者の意図した色にコンテンツデータが再生されないことがある。このため、調整データの作成日を表示することで、古くなった調整データを作成し直す必要性があることを容易に認識できるようになる。
【００１６】
また、明るさセンサをさらに備え、調整データ記憶部は、明るさの複数の帯域毎に予め作成された調整データをコンテンツデータ及び帯域と関連付けて記憶し、制御部は、コンテンツデータ記憶部から読み出されて表示装置へ出力されるコンテンツデータに関連付けられた調整データであって明るさセンサで検出した明るさを含む帯域に関連付けられた調整データを表示装置へ出力するように構成することができる。
【００１７】
実際の設置場所において表示装置に当たる外光の照度は、時間帯、季節、及び周囲の照明器具等の現場環境によって異なるが、この構成では、実際の設置場所において明るさが検出され、明るさに応じた調整データに基づいてコンテンツデータの再生状態が調整される。このため、明るさの変化に応じて、コンテンツデータ毎に再生状態が調整される。
【００１８】
さらに、表示装置は、複数備えられてマルチディスプレイを構成し、調整データは、コンテンツデータ毎及び表示装置毎に予め作成され、コンテンツデータ及び表示装置と関連付けて記憶され、制御部は、コンテンツデータ記憶部から読み出されて複数の表示装置のうちの注目表示装置へ出力されるコンテンツデータに関連付けられた調整データであって注目表示装置に関連付けられた調整データを調整データ記憶部から読み出して注目表示装置へ出力するように構成することができる。
【００１９】
この構成では、マルチディスプレイを構成する複数の表示装置の間の色差を軽減するように、個々の表示装置の色再現が、コンテンツ毎に調整される。
【００２０】
この発明の表示方法は、記憶ステップ、出力ステップ、及び調整ステップを備える。記憶ステップでは、コンテンツデータを表示装置にて再生する際の再生状態を調整するための調整データであってコンテンツデータ毎に予め作成された調整データをコンテンツデータと関連付けて記憶する。出力ステップでは、表示装置へ出力されるコンテンツデータに関連付けられた調整データを表示装置へ出力する。調整ステップでは、コンテンツデータを表示装置にて再生する際の再生状態を、再生するコンテンツデータに関連付けられた調整データに基づいて調整する。
【発明の効果】
【００２１】
この発明によれば、コンテンツ毎に意図した色再現を行うことができる。
【図面の簡単な説明】
【００２２】
【図１】この発明の第１実施形態に係る表示システムの概略の構成を示すブロック図である。
【図２】調整データ作成モードの処理手順を示すフローチャートである。
【図３】コンテンツデータ再生モードの処理手順を示すフローチャートである。
【図４】コンテンツデータ並びにそれぞれのコンテンツデータに関連付けられた調整優先度、調整データナンバー、調整データの作成日、及び備考の一例を示す図である。
【図５】予め作成された調整データの一例を示す図である。
【図６】コンテンツデータの再生スケジュールの一例を示す図である。
【発明を実施するための形態】
【００２３】
［第１実施形態］
図１に示すように、表示システム１は、制御コントローラ２、及び１以上の表示装置３を備えている。
【００２４】
制御コントローラ２は、第１制御部２１、表示部２２、表示駆動部２３、時計２４、操作部２５、記憶部２６、コンテンツデータ出力部２７、及び通信部２８を備えている。
【００２５】
表示部２２は、表示駆動部２３によって駆動する。一例として、表示部２２及び表示駆動部２３は、液晶表示装置で構成される。表示部２２及び表示駆動部２３は、調整データに関する情報を表示する制御表示部に相当する。操作部２５は、色調整などのためのユーザの入力操作を受け付ける。記憶部２６は、１以上のコンテンツデータ、及びコンテンツデータのそれぞれに関連付けられた調整データを記憶する。コンテンツデータ出力部２７は、表示装置３へコンテンツデータを出力する。通信部２８は、表示装置３へ調整データを出力する。なお、この実施形態では、コンテンツデータを記憶するコンテンツデータ記憶部と調整データを記憶する調整データ記憶部とが、１個の記憶部２６で構成されているが、それぞれ別の記憶装置で構成することもできる。
【００２６】
表示装置３は、第２制御部３１、表示部３２、表示駆動部３３、時計３４、操作部３５、記憶部３６、コンテンツデータ入力部３７、及び通信部３８を備えている。一例として、表示装置３は、液晶表示装置である。
【００２７】
制御コントローラ２から出力されたコンテンツデータは、コンテンツデータ入力部３７に入力し、記憶部３６に記憶される。制御コントローラ２から出力された調整データは、通信部３８に入力し、記憶部３６に記憶される。なお、通信部２８，３８間の通信方式として、ＲＳ−２３２Ｃ、有線ＬＡＮ、無線ＬＡＮ、ＨＤＭＩ（登録商標）（High-Definition Multimedia Interface、高精細度マルチメディアインターフェース）、ＣＥＣ（Consumer Electronics Control）などが挙げられる。
【００２８】
操作部３５は、リモコン又は本体キーの少なくとも一方を含み、設定情報などのユーザの入力操作を受け付ける。表示部３２は、表示駆動部３３によって駆動する。表示駆動部３３は、コンテンツデータを調整データに基づいて調整して、表示部３２に再生する。表示駆動部３３は、コンテンツデータを表示部３２に再生する際の再生状態を調整する調整部に該当する。また、表示部３２及び表示駆動部３３は、コンテンツデータを再生する再生部を構成している。
【００２９】
表示システム１では、表示装置３で画像や映像といったコンテンツデータを本番再生する前に、表示装置３の実際の設置場所においてコンテンツデータをお試し再生してコンテンツの色調整を行うことで、コンテンツデータの再生状態を調整するための調整データが予め作成され、本番再生の際には、コンテンツデータを調整データに基づいて調整して再生される。具体的な処理について、図２及び図３に基づいて説明する。
【００３０】
図２に示すように、コンテンツデータをお試し再生して調整データを作成する際には、コンテンツデータ作成モードが実行される。コンテンツデータ作成モードにおいて、第１制御部２１は、表示部２２に、図４に示すようなコンテンツデータの一覧表を表示させる（Ｓ１）。一覧表には、コンテンツデータナンバー、並びにそれぞれのコンテンツデータの調整優先度、調整データナンバー、調整データの作成日、及び備考が表示される。コンテンツデータナンバー、調整優先度、調整データナンバー、調整データの作成日、及び備考は、それぞれ対応するコンテンツデータに関連付けられて、調整データ記憶部即ちこの実施形態では記憶部２６に記憶されている。
【００３１】
一例として、コンテンツデータＣ０１の備考には、「焼肉店Ａ社のコンテンツ。赤い肉の色再現が重視される。」と表示される。コンテンツデータＣ０２の備考には、「Ｂ社のコーポレートカラー（水色）の色再現が重視される。」と表示される。コンテンツデータＣ０３の備考には、「化粧品メーカーＣ社のコンテンツ。肌色の色再現が重視される。」と表示される。コンテンツデータＣ０４の備考には、「Ｄ社のコンテンツ。特に色再現のこだわりが無い。」と表示される。コンテンツデータＣ０５の備考には、「Ｅ社のコンテンツ。特に色再現のこだわりが無い。」と表示される。コンテンツデータＣ０６の備考には、「Ｆ社のコンテンツ。特に色再現のこだわりが無い。」と表示される。
【００３２】
調整優先度は、複数のコンテンツデータのそれぞれの再生状態の調整の必要性の優先度情報である。一例として、調整優先度の欄では、最も優先度が高いものが「Ａ」で示され、次に優先度が高いものが「Ｂ」で示され、個々のコンテンツデータに特有の調整データを作成する必要がなく色設定として所定の標準データＡ００が用いられる場合は横線「−」で示されている。コンテンツデータの調整優先度が表示されることで、調整データの作成の必要性の高さをユーザが容易に認識できる。このため、必要性の高いコンテンツデータから優先的に調整データを作成することが容易になる。
【００３３】
また、調整データがすでに作成されたコンテンツデータについては、調整データの作成日が表示される。例えば、作成日として、年月日が表示される。表示装置３の色再現性は、時間経過によって変化することがあるので、作成されてから長期間が経過した調整データを用いた場合は、配信者の意図した色にコンテンツデータが再生されないことがある。このため、調整データの作成日を表示することで、古くなった調整データを作成し直す必要性があることを、ユーザが容易に認識できるようになる。
【００３４】
第１制御部２１は、コンテンツデータの選択の入力を待機し（Ｓ２）、いずれかのコンテンツデータが選択されると、選択されたコンテンツデータを表示装置３へ出力する（Ｓ３）。表示装置３は、入力したコンテンツデータを再生する。
【００３５】
第１制御部２１は、表示装置３で再生中のコンテンツデータの色調整が必要であるか否かの入力を待機し（Ｓ４）、色調整が必要である旨の操作入力がなされた場合は、色調整のための調整データの入力を待機する（Ｓ５）。調整データの入力は、この実施形態ではユーザの手動調整による。なお、表示装置３が測色器又は輝度センサの少なくとも一方をさらに備え、調整データが自動的に入力されるように構成することもできる。
【００３６】
第１制御部２１は、入力された調整データを表示装置３へ出力する（Ｓ６）。表示装置３は、入力した調整データを表示部３２の表示に反映させる。即ち、調整データに基づいてコンテンツデータの再生状態を調整する。
【００３７】
第１制御部２１は、表示部３２に表示されたコンテンツデータの色表現を再調整する必要があるか否かの操作入力を待機し（Ｓ７）、再調整の必要がある場合はＳ５の処理へ戻り、再調整の必要がない場合は、Ｓ５で入力された調整データを、調整データナンバー及び作成日と関連付けて調整データ記憶部即ちこの実施形態では記憶部２６に記憶させる（Ｓ８）。なお、表示装置３に備えられた測色器又は輝度センサで調整データが自動的に入力されるように構成される場合など、必要に応じて、調整データを表示装置３から通信部２８，３８を通じて受信して記憶部２６に記憶させるように構成することもできる。
【００３８】
第１制御部２１は、調整データによる色調整をリセットし（Ｓ９）、調整優先度において色調整の必要があると設定されているにもかかわらず未調整のコンテンツデータがある場合は（Ｓ１０）、Ｓ１の処理へ戻る。また、Ｓ４において、色調整が不要である旨の入力がなされた場合は、Ｓ１０の処理へ進む。このようにして、調整データは、コンテンツ毎に作成される。
【００３９】
図５に示すように、一例として、調整データは、ＲＧＢ（赤、緑、青）コントラスト、及び輝度調整値を含む。表示システム１が複数の表示装置３を含む場合は、コンテンツ毎、及び表示装置３毎に、調整データが予め作成され、調整データが、コンテンツデータ及び表示装置３と関連付けて記憶部２６に記憶される。なお、調整データは、ＲＧＢオフセット及びガンマ調整値のうち少なくとも何れか一方をさらに含むように構成することもできる。
【００４０】
図６に示すように、一例として、調整データ記憶部即ちこの実施形態では記憶部２６には、複数のコンテンツデータの再生スケジュールがさらに記憶されている。なお、再生スケジュールが早いものほど調整優先度を高く設定するように構成することもできる。これによって、再生スケジュールが早いものから順に調整データを作成することが容易になる。
【００４１】
図３に示すように、コンテンツデータを本番再生する際には、コンテンツデータ再生モードが実行される。コンテンツデータ再生モードにおいて、第１制御部２１は、あるコンテンツデータの再生開始時間になると（Ｓ１１）、このコンテンツデータに関連付けられた調整データが記憶部２６に記憶されているか否かを判定する（Ｓ１２）。調整データとは、コンテンツデータ毎に作成されたコンテンツデータのそれぞれに特有の色調整のためのデータをいい、標準データＡ００は含まれない。第１制御部２１は、調整データが記憶部２６に記憶されている場合は、その調整データを、関連付けられた表示装置３へ出力する（Ｓ１３）。調整データが入力した表示装置３は、コンテンツデータの再生状態を調整データに基づいて調整して、表示部３２に表示させる。
【００４２】
第１制御部２１は、Ｓ１２においてコンテンツデータに関連付けられた調整データが記憶部２６に記憶されていない場合は、所定の標準データＡ００を表示装置３へ出力する（Ｓ１４）。表示装置３は、表示部３２の色設定に、入力した標準データＡ００を設定して、コンテンツデータを再生する。
【００４３】
調整データＡ０１〜Ａ０３や標準データＡ００の色設定の切り換えは、コンテンツデータのそれぞれの再生スケジュール同士の間に極短時間の切り換え用時間を作成し、この切り換え用時間内に行われることが好ましい。コンテンツの再生の乱れを防止するためである。
【００４４】
第１制御部２１は、次に再生すべきコンテンツデータが再生スケジュールにある場合は（Ｓ１５）、Ｓ１１の処理へ戻る。
【００４５】
このように、表示システム１では、表示装置３の設置現場において、コンテンツデータの色再現が事前確認され、コンテンツデータ毎に、調整データが予め作成される。コンテンツデータが本番再生のために表示装置３へ出力される際には、このコンテンツデータに関連付けられた調整データも表示装置３へ出力される。コンテンツデータが表示装置３で本番再生される際に、コンテンツデータ毎に作成された調整データに基づいて、コンテンツデータ毎に再生状態が調整される。したがって、全てのコンテンツについて、配信者の意図した色再現を行うことができる。
【００４６】
表示システム１が複数の表示装置３を含み、複数の表示装置３がマルチディスプレイを構成する場合、調整データは、コンテンツデータ毎及び表示装置３毎に予め作成されてコンテンツデータ及び表示装置と関連付けて記憶される。第１制御部２１は、コンテンツデータ記憶部即ちこの実施形態では記憶部２６から読み出されて複数の表示装置３のうちの注目表示装置へ出力されるコンテンツデータに関連付けられた調整データであって注目表示装置に関連付けられた調整データを、調整データ記憶部即ちこの実施形態では記憶部２６から読み出して注目表示装置へ出力する。即ち、コンテンツデータ毎及び表示装置３毎に予め作成された調整データに基づいて、表示装置３のそれぞれの再生状態がコンテンツ毎に調整される。これによって、マルチディスプレイを構成する複数の表示装置３の間の色差を軽減させることができる。
【００４７】
［第２実施形態］
第２実施形態に係る表示システム１では、朝（例えば、04:00〜10:00）、昼（例えば、10:00〜15:00）、夕（例えば、15:00〜18:00）、夜（例えば、18:00〜24:00）等、１日のうちの所定の時間帯毎、及びコンテンツデータ毎に調整データを予め作成しておき、コンテンツデータを再生する時刻を含む時間帯に関連付けられた調整データに基づいてコンテンツデータの再生状態が調整される。
【００４８】
１日のうちの時間経過に応じて調整データを変えることで、表示装置３の設置場所の現場環境に応じて、コンテンツデータの再生状態を自動的に調整することができる。
【００４９】
なお、上述の１日のうちの予め設定された時間帯毎に作成される調整データを、さらに春夏秋冬の季節毎に作成することで、現場環境により相応しい調整データでコンテンツデータの再生状態を調整することができる。
【００５０】
［第３実施形態］
第３実施形態に係る表示システム１では、表示装置３は、照度計などの明るさセンサをさらに備える。調整データ記憶部即ちこの実施形態では記憶部２６は、コンテンツデータ毎及び明るさの複数の帯域毎に予め作成された調整データを、コンテンツデータ及び帯域と関連付けて記憶する。第１制御部２１は、コンテンツデータ記憶部即ちこの実施形態では記憶部２６から読み出されて表示装置３へ出力されるコンテンツデータに関連付けられた調整データであって明るさセンサで検出した明るさを含む帯域に関連付けられた調整データを表示装置３へ出力する。
【００５１】
表示装置３は、コンテンツデータ毎及び明るさの帯域毎に作成された調整データに基づいてコンテンツデータの再生状態を調整する。
【００５２】
実際の設置場所において表示装置３に当たる外光の照度は、時間帯、季節、及び周囲の照明器具等の現場環境によって異なるが、この実施形態に係る表示システム１では、実際の設置場所において明るさが検出され、明るさの検出結果に応じた調整データに基づいてコンテンツデータの再生状態が調整される。このため、コンテンツデータの再生状態を、コンテンツデータ毎に、明るさの変化に応じて、自動的に調整できる。
【００５３】
［第４実施形態］
第４実施形態に係る表示システム１として、図２に示すＳ２の処理において、調整データが作成されていないコンテンツデータの中で調整優先度の最も高いコンテンツデータを抽出して選択するように構成することもできる。これによって、調整優先度の高いコンテンツデータをより容易に選択することができる。
【００５４】
なお、制御コントローラ２とは別に、コンテンツデータを出力するコンテンツデータ出力機器を備えるように構成することもできる。
【００５５】
また、上述の各実施形態において、表示システム１が複数の表示装置３を含む場合、一例として、ある１個の表示装置３のコンテンツデータ入力部３７に制御コントローラ２からコンテンツデータが入力され、表示装置３のそれぞれはコンテンツデータ出力部をさらに有し、複数の表示装置３同士のコンテンツデータ出力部とコンテンツデータ入力部とが互いに接続されて、デイジーチェーン接続される。なお、複数の表示装置３がＨＵＢを介したスター型に接続された場合にも、上述の発明を適用することができる。
【００５６】
また、上述の各実施形態では、コンテンツデータ及び調整データは、記憶部２６に記憶されるように構成されていたが、これに限定されない。表示システム１は、コンテンツデータ及び調整データのうち少なくともコンテンツデータを記憶するサーバをさらに備え、少なくともコンテンツデータがサーバから制御コントローラ２へ配信され、コンテンツデータ及び調整データが制御コントローラ２から表示装置３へ出力されるように構成することもできる。
【００５７】
上述の各実施形態のそれぞれの技術的特徴は、矛盾がない範囲内において互いに組み合わせることで、新たな実施形態を構成することが考えられる。
【００５８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５９】
１  表示システム
２  制御コントローラ
３  表示装置
２１  第１制御部（制御部）
２２  表示部（再生部、制御表示部）
２３  表示駆動部（再生部）
２６  記憶部（コンテンツデータ記憶部、調整データ記憶部）
【図１】
0006590715.tif 000002
【図２】
0006590715.tif 000003
【図３】
0006590715.tif 000004
【図４】
0006590715.tif 000005
【図５】
0006590715.tif 000006
【図６】
0006590715.tif 000007